【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
室内温度を検出する温度検出手段を備えており、
運転停止時において、前記温度検知手段で検出された室内温度に基づいて、室内温度を低下させる強制運転が自動的に開始される強制運転モードを有していることを特徴とする空気調和機。
【請求項２】
室内機の内部に配置された室内ファンをさらに備えており、
室内温度が、前記室内ファンが駆動された状態で検出されたものであることを特徴とする請求項１に記載の空気調和機。
【請求項３】
室内温度が所定の第１範囲にある場合に、前記室内ファンが駆動されることを特徴とする請求項２に記載の空気調和機。
【請求項４】
前記室内ファンが駆動された後に、室内温度が前記第１範囲にある場合に、室内ファンが継続して駆動されることを特徴とする請求項３に記載の空気調和機。
【請求項５】
強制運転モードにおいて、定期的に所定送風時間、前記室内ファンが駆動されることを特徴とする請求項２に記載の空気調和機。
【請求項６】
前記室内ファンが駆動された後に、室内温度が前記第１範囲にある状態が、所定時間継続した場合に、強制運転が自動的に開始されることを特徴とする請求項２〜５のいずれか１項に記載の空気調和機。
【請求項７】
前記室内ファンが駆動された後の室内温度が、上昇傾向にある場合に、強制運転が自動的に開始されることを特徴とする請求項１〜３及び５のいずれか１項に記載の空気調和機。
【請求項８】
室内温度が所定の第２範囲にある場合に、強制運転が自動的に開始されることを特徴とする請求項３〜６のいずれか１項に記載の空気調和機。
【請求項９】
前記室内ファンが駆動される場合に、前記室内ファンが低速で駆動されることを特徴とする請求項２〜８のいずれか１項に記載の空気調和機。
【請求項１０】
室内機の吹出口において上下方向について吹き出し方向を変更する上下フラップを備えており、
前記室内ファンが駆動される場合に、吹き出し方向が上方向に変更されることを特徴とする請求項２〜９のいずれか１項に記載の空気調和機。
【請求項１１】
強制運転モードにおいて、前記強制運転が自動的に開始される前に、強制運転を開始することが報知されることを特徴とする請求項１〜１０のいずれか１項に記載の空気調和機。
【請求項１２】
外気温度を検出する外気温度検出手段を備えており、
前記外気温度検出手段によって検出された外気温度が所定の外気温度以下である場合は、強制運転が開始されないことを特徴とする請求項１〜１１のいずれか１項に記載の空気調和機。
【請求項１３】
冷房運転、暖房運転又は自動運転を選択して運転開始操作を行うコントローラを備え、
強制運転モードでは、前記コントローラにおいて暖房運転を選択して運転開始操作を行うことができないことを特徴とする請求項１〜１２のいずれか１項に記載の空気調和機。
【請求項１４】
強制運転モードでは、前記コントローラにおいて自動運転だけを選択して運転開始操作を行うことができることを特徴とする請求項１３に記載の空気調和機。
【請求項１５】
室内温度が、室内機に取り付けられた温度検出センサにより検出された温度であることを特徴とする請求項１〜１４のいずれか１項に記載の空気調和機。
【請求項１６】
室内温度が、コントローラに取り付けられた温度検出センサにより検出された温度であることを特徴とする請求項１〜１４のいずれか１項に記載の空気調和機。
【請求項１７】
室内湿度を検出する湿度検出手段を備えており、
室内温度に代えて、前記温度検知手段で検出された室内温度及び前記湿度検知段で検出された室内湿度を用いることを特徴とする請求項１〜１６のいずれか１項に記載の空気調和機。
【請求項１８】
室内湿度が、室内機に取り付けられた湿度検出センサにより検出された湿度であることを特徴とする請求項１７に記載の空気調和機。
【請求項１９】
室内湿度が、コントローラに取り付けられた湿度検出センサにより検出された湿度であることを特徴とする請求項１７に記載の空気調和機。
【手続補正２】
【補正対象書類名】明細書
【補正対象項目名】全文
【補正方法】変更
【補正の内容】
【発明の詳細な説明】
【発明の名称】空気調和機
【技術分野】
【０００１】
本発明は、冷房運転等を行う空気調和機に関する。
【背景技術】
【０００２】
空気調和機は、冷房運転や暖房運転等を行うものが一般的であって、ユーザがコントローラに対して冷房運転等を選択して運転開始操作を行った場合に、冷房運転等の運転が開始される。
【先行技術文献】
【特許文献】
【０００３】
【特許文献１】特開２００９−１６８３２７号公報
【発明の概要】
【発明が解決しようとする課題】
【０００４】
したがって、室内温度や室内湿度が高い状態であっても、ユーザがコントローラに対して運転開始操作を行わない場合、空気調和機の運転が開始されない。そのため、ユーザが熱中症等になることがある。
【０００５】
そこで、本発明は、運転停止時において、室内温度及び室内湿度の少なくとも一方を低下させる強制運転を自動的に開始できる空気調和機を提供することを目的とする。
【課題を解決するための手段】
【０００６】
第１の発明に係る空気調和機は、室内温度を検出する温度検出手段を備えており、運転停止時において、前記温度検知手段で検出された室内温度に基づいて、室内温度を低下させる強制運転が自動的に開始される強制運転モードを有している。
【０００７】
この空気調和機では、室内が室内温度を低下させる必要のある状態になった場合に、室内温度を低下させる強制運転が自動的に開始される。したがって、室内温度が高い状態で長時間継続されるのを抑制できるので、ユーザが熱中症等になることを防止できる。
【０００８】
ここで、本発明には、室内温度及び室内湿度に基づいて強制運転が開始される場合と、室内温度に基づいて強制運転が開始される場合とを含む。また、本発明の強制運転には、室内温度及び室内湿度を低下させる運転と、室内湿度を低下させる運転とを含む。
【０００９】
第２の発明に係る空気調和機は、第１の発明において、室内機の内部に配置された室内ファンをさらに備えており、室内温度が、前記室内ファンが駆動された状態で検出されたものである。
【００１０】
この空気調和機では、室内ファンが駆動されて室内機の内部に空気が流れた状態での室内温度に基づいて強制運転を開始するかを判定するので、室内温度検出手段が室内機の内部にあって運転停止時において室内機の内部に熱がこもった場合でも、室内温度を適正に検出できる。
【００１１】
第３の発明に係る空気調和機は、第２の発明において、室内温度が所定の第１範囲にある場合に、前記室内ファンが駆動される。
【００１２】
この空気調和機では、所定の第１範囲を、強制運転が開始される範囲の近くにすることによって、室内温度が、強制運転が開始される範囲に近付いた場合に、室内ファンを駆動することができる。したがって、室内温度を適正に検出して強制運転を開始するかを判定できる。
【００１３】
第４の発明に係る空気調和機は、第３の発明において、前記室内ファンが駆動された後に、室内温度が前記第１範囲にある場合に、室内ファンが継続して駆動される。
【００１４】
この空気調和機では、室内温度が、強制運転が開始される範囲の近くにある場合に、室内ファンの駆動を継続できる。したがって、室内温度を適正に検出して強制運転を開始するかを判定できる。
【００１５】
第５の発明に係る空気調和機は、第２の発明において、強制運転モードにおいて、定期的に所定送風時間、前記室内ファンが駆動される。
【００１６】
この空気調和機では、強制運転モードにおいて室内ファンが定期的に駆動されるので、室内温度を適正に検出して強制運転を開始するかを判定できる。
【００１７】
第６の発明に係る空気調和機は、第２〜第５のいずれかの発明において、前記室内ファンが駆動された後に、室内温度が前記第１範囲にある状態が、所定時間継続した場合に、強制運転が自動的に開始される。
【００１８】
この空気調和機では、室内温度が、強制運転が開始される範囲の近くに所定時間ある場合に、強制運転が開始される。したがって、強制運転が必要となる前に強制運転を開始して、室内温度を低下させることができる。
【００１９】
第７の発明に係る空気調和機は、第１〜第３及び第５のいずれかの発明において、前記室内ファンが駆動された後の室内温度が、上昇傾向にある場合に、強制運転が自動的に開始される。
【００２０】
この空気調和機では、室内ファンが駆動された後の室内温度が上昇傾向にある場合に、強制運転が開始される。したがって、強制運転が必要となる前に強制運転を開始して、室内温度を低下させることができる。
【００２１】
第８の発明に係る空気調和機は、第３〜第６のいずれかの発明において、室内温度が所定の第２範囲にある場合に、強制運転が自動的に開始される。
【００２２】
この空気調和機では、所定の第２範囲を、室内温度を低下させる必要がある範囲にすることによって、室内温度が高い場合に、強制運転を開始できる。
【００２３】
第９の発明に係る空気調和機は、第２〜第８のいずれかの発明において、前記室内ファンが駆動される場合に、前記室内ファンが低速で駆動される。
【００２４】
この空気調和機では、室内ファンが駆動されるときの風量を冷房運転時よりも小さくすることによって、ユーザの負担を軽減できる。
【００２５】
第１０の発明に係る空気調和機は、第２〜第９のいずれかの発明において、室内機の吹出口において上下方向について吹き出し方向を変更する上下フラップを備えており、前記室内ファンが駆動される場合に、吹き出し方向が上方向に変更される。
【００２６】
この空気調和機では、室内ファンが駆動されるときの吹き出し方向を上方向に変更することによって、室内機からの風がユーザに直接吹き出されないので、ユーザの負担を軽減できる。
【００２７】
第１１の発明に係る空気調和機は、第１〜第１０のいずれかの発明において、強制運転モードにおいて、前記強制運転が自動的に開始される前に、強制運転を開始することが報知される。
【００２８】
この空気調和機では、強制運転が開始される前にユーザに知らせることができる。
【００２９】
第１２の発明に係る空気調和機は、第１〜第１１のいずれかの発明において、外気温度を検出する外気温度検出手段を備えており、前記外気温度検出手段によって検出された外気温度が所定の外気温度以下である場合は、強制運転が開始されない。
【００３０】
この空気調和機では、外気温度が低く冷房運転が不要な場合に、冷房運転が開始されないようにすることができる。
【００３１】
第１３の発明に係る空気調和機は、第１〜第１２のいずれかの発明において、冷房運転、暖房運転又は自動運転を選択して運転開始操作を行うコントローラを備え、強制運転モードでは、前記コントローラにおいて暖房運転を選択して運転開始操作を行うことができない。
【００３２】
この空気調和機では、強制運転モードにおいて、誤って暖房運転が開始されるのを防止できる。
【００３３】
第１４の発明に係る空気調和機は、第１３の発明において、強制運転モードでは、前記コントローラにおいて自動運転だけを選択して運転開始操作を行う。
【００３４】
この空気調和機では、強制運転モードにおいて、外気温度が低いときに暖房運転が行われる。
【００３５】
第１５の発明に係る空気調和機は、第１〜第１４のいずれかの発明において、室内温度が、室内機に取り付けられた温度検出センサにより検出された温度である。
【００３６】
この空気調和機では、室内機周辺の温度を考慮して強制運転を開始できる。
【００３７】
第１６の発明に係る空気調和機は、第１〜第１４のいずれかの発明において、室内温度が、コントローラに取り付けられた温度検出センサにより検出された温度である。
【００３８】
この空気調和機では、コントローラ周辺の温度を考慮して強制運転を開始できる。
【００３９】
第１７の発明に係る空気調和機は、第１〜第１６のいずれかの発明において、室内湿度を検出する湿度検出手段を備えており、室内温度に代えて、前記温度検知手段で検出された室内温度及び前記湿度検知段で検出された室内湿度を用いる。
この空気調和機では、第１〜第１６のいずれかの発明と同様に効果が得られる。
第１８の発明に係る空気調和機は、第１７の発明において、室内湿度が、室内機に取り付けられた湿度検出センサにより検出された湿度である。
【００４０】
この空気調和機では、室内機周辺の湿度を考慮して強制運転を開始できる。
【００４１】
第１９の発明に係る空気調和機は、第１７の発明において、コントローラに取り付けられた湿度検出センサにより検出された湿度である。
【００４２】
この空気調和機では、コントローラ周辺の温度を考慮して強制運転を開始できる。
【発明の効果】
【００４３】
以上の説明に述べたように、本発明によれば、以下の効果が得られる。
【００４４】
第１の発明では、室内が室内温度を低下させる必要のある状態になった場合に、室内温度を低下させる強制運転が自動的に開始される。したがって、室内温度が高い状態で長時間継続されるのを抑制できるので、ユーザが熱中症等になることを防止できる。
【００４５】
第２の発明では、室内ファンが駆動されて室内機の内部に空気が流れた状態での室内温度に基づいて強制運転を開始するかを判定するので、室内温度検出手段が室内機の内部にあって運転停止時において室内機の内部に熱がこもった場合でも、室内温度を適正に検出できる。
【００４６】
第３の発明では、所定の第１範囲を、強制運転が開始される範囲の近くにすることによって、室内温度が、強制運転が開始される範囲に近付いた場合に、室内ファンを駆動することができる。したがって、室内温度を適正に検出して強制運転を開始するかを判定できる。
【００４７】
第４の発明では、室内温度が、強制運転が開始される範囲の近くにある場合に、室内ファンの駆動を継続できる。したがって、室内温度を適正に検出して強制運転を開始するかを判定できる。
【００４８】
第５の発明では、強制運転モードにおいて室内ファンが定期的に駆動されるので、室内温度を適正に検出して強制運転を開始するかを判定できる。
【００４９】
第６の発明では、室内温度が、強制運転が開始される範囲の近くに所定時間ある場合に、強制運転が開始される。したがって、強制運転が必要となる前に強制運転を開始して、室内温度を低下させることができる。
【００５０】
第７の発明では、室内ファンが駆動された後の室内温度が上昇傾向にある場合に、強制運転が開始される。したがって、強制運転が必要となる前に強制運転を開始して、室内温度を低下させることができる。
【００５１】
第８の発明では、所定の第２範囲を、室内温度を低下させる必要がある範囲にすることによって、室内温度が高い場合に、強制運転を開始できる。
【００５２】
第９の発明では、室内ファンが駆動されるときの風量を冷房運転時よりも小さくすることによって、ユーザの負担を軽減できる。
【００５３】
第１０の発明では、室内ファンが駆動されるときの吹き出し方向を上方向に変更することによって、室内機からの風がユーザに直接吹き出されないので、ユーザの負担を軽減できる。
【００５４】
第１１の発明では、強制運転が開始される前に、ユーザに知らせることができる。
【００５５】
第１２の発明では、外気温度が低く冷房運転が不要な場合に、冷房運転が開始されないようにすることができる。
【００５６】
第１３の発明では、強制運転モードにおいて、誤って暖房運転が開始されるのを防止できる。
【００５７】
第１４の発明では、強制運転モードにおいて、外気温度が低いときに暖房運転が行われる。
【００５８】
第１５の発明では、室内機周辺の温度を考慮して強制運転を開始できる。
【００５９】
第１６の発明では、コントローラ周辺の温度を考慮して強制運転を開始できる。
【００６０】
第１７の発明では、第１〜第１６のいずれかの発明と同様に効果が得られる。
第１８の発明では、室内機周辺の湿度を考慮して強制運転を開始できる。
【００６１】
第１９の発明では、コントローラ周辺の湿度を考慮して強制運転を開始できる。
【図面の簡単な説明】
【００６２】
【図１】本発明の第１実施形態に係る空気調和機の冷媒回路を示す回路図である。
【図２】本発明の第１実施形態に係る空気調和機の制御部を説明する図である。
【図３】（ａ）はコントローラの表面を示す図であり、（ｂ）はコントローラの裏面を示す図である。
【図４】第１実施形態の強制運転モードにおける判定図（室内湿度と室内温度との関係を示す図）である。
【図５】強制運転モードで運転される場合の制御を説明する図である。
【図６】第２実施形態における強制運転モードで運転される場合の制御を説明する図である。
【図７】第３実施形態における強制運転モードで運転される場合の制御を説明する図である。
【図８】第４実施形態の強制運転モードにおける判定図（室内湿度と室内温度との関係を示す図）である。
【図９】第４実施形態における強制運転モードで運転される場合の制御を説明する図である。
【図１０】第５実施形態の強制運転モードにおける判定図（室内湿度と室内温度との関係を示す図）である。
【図１１】第５実施形態における強制運転モードで運転される場合の制御を説明する図である。
【図１２】変形例の強制運転モードにおける判定図（室内湿度と室内温度との関係を示す図）である。
【発明を実施するための形態】
【００６３】
〔第１実施形態〕
以下、本発明の第１実施形態に係る空気調和機１について説明する。
【００６４】
＜空気調和機１の全体構成＞
図１に示すように、本実施形態の空気調和機１は、室内に設置される室内機２と、室外に設置される室外機３とを備えている。そして、空気調和機１は、圧縮機１０と、四方弁１１、室外熱交換器１２と、膨張弁（減圧機構）１３と、室内熱交換器１４とを接続した冷媒回路を備えている。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。
【００６５】
空気調和機１は、自動運転、冷房運転、暖房運転、除湿運転及び送風運転のいずれかの運転が可能であって、コントローラによって、いずれかの運転を選択して運転開始操作を行ったり、運転切換操作や運転停止操作を行ったりすることができる。また、コントローラでは、室内温度の設定温度を設定することができる。
【００６６】
冷房運転および除湿運転では、図示実線矢印で示すように、圧縮機１０から吐出された冷媒が四方弁１１から室外熱交換器１２、膨張弁１３、室内熱交換器１４へと順に流れ、室内熱交換器１４を経た冷媒が四方弁１１を通って圧縮機１０に戻る冷房サイクルまたは除湿サイクルが形成される。すなわち、室外熱交換器１２が凝縮器、室内熱交換器１４が蒸発器として機能する。
【００６７】
一方、暖房運転では、四方弁１１が切換わることにより、図示破線矢印で示すように、圧縮機１０から吐出される冷媒が四方弁１１から室内熱交換器１４、膨張弁１３、室外熱交換器１２へと順に流れ、室外熱交換器１２を経た冷媒が四方弁１１を通って圧縮機１０に戻る暖房サイクルが形成される。すなわち、室内熱交換器１４が凝縮器、室外熱交換器１２が蒸発器として機能する。
【００６８】
室内機２内には、室内熱交換器１４に対向した室内ファン１６が配置される。室内機２の吹出口には、上下方向について吹き出し方向を変更する上下フラップ１７が配置される。そして、図１に示すように、室内機２に、室内温度を検出する室内温度センサ（室内温度検出手段）２１と、室内湿度を検出する室内湿度センサ（室内湿度検出手段）２２が取付けられる。
【００６９】
図２に示すように、空気調和機１の制御部には、圧縮機１０と、四方弁１１、膨張弁１３と、室内ファン１６を駆動するモータ１６ａと、上下フラップ１７を駆動するモータ１７ａと、室内温度センサ２１と、室内湿度センサ２２と、コントローラ３０とが接続される。したがって、制御部は、コントローラ３０からの指令（運転開始操作や室内温度の設定温度等）や、室内温度センサ２１で検知される室内温度や、室内湿度センサ２２で検知される室内湿度に基づいて、空気調和機１の運転を制御する。
【００７０】
ここで、コントローラ３０について、図３を参照しつつ説明する。図３（ａ）は、コントローラ３０の上面の蓋部３３を開いた状態を示している。
【００７１】
コントローラ３０の左部３１には、表示部４１と、表示部４１の下方に配置された温度調整ダイヤル４２と、温度調整ダイヤル４２の内側に配置された運転開始ボタン４３と、温度調整ダイヤル４２の右下側に配置された停止ボタン４４とが設けられている。また、コントローラ３０の右部３２には、運転選択ダイヤル４５と、風量選択ダイヤル４６と、風向選択ダイヤル４７とが上から順に設けられている。
【００７２】
表示部４１には、運転表示部４１ａと、設定温度表示部４１ｂと、運転モード表示部４１ｃとが表示されている。運転表示部４１ａには、運転選択ダイヤル４５で選択された運転（自動、冷房、暖房、除湿及び送風のいずれかの運転）が表示される。また、設定温度表示部４１ｂには、温度調整ダイヤル４２を回転することで変更された温度が表示される。
【００７３】
温度調整ダイヤル４２は設定温度を変更するものであり、温度調整ダイヤル４２を右回転することで設定温度を上げることができ、温度調整ダイヤル４２を左回転することで設定温度を下げることができる。運転開始ボタン４３を押すことにより運転選択ダイヤル４５により選択した運転が開始され、運転中に停止ボタン４４を押すことにより運転が停止される。
【００７４】
コントローラ３０の右部３２の運転選択ダイヤル４５により、自動、冷房、暖房、除湿及び送風のいずれかに切り換えて選択できる。風量選択ダイヤル４６により、風量を自動、微（微量）、弱（少量）及び強（多量）のいずれかに切り換えて選択できる。風向選択ダイヤル４７により、風向を自動、上（上方向）、中（水平方向）及び下（下方向）のいずれかに切り換えて選択できる。
【００７５】
そして、コントローラ３０の裏面には全体を覆う蓋部が設けられており、図３（ｂ）では蓋部を外した状態を示している。図３（ｂ）に示すように、コントローラ３０の裏面には、蓋部を外すと、モード切換部５０が設けられている。モード切換部５０により、空気調和機１の高温防止モードを、強制運転モード、お知らせモード及び切のいずれかに切り換えることができる。
【００７６】
強制運転モードでは、室内が高温状態や高湿状態である場合に、室内温度及び室内湿度に基づいて、強制運転が自動的に開始される。したがって、強制運転モードに切り換えた場合、室内が高温状態や高湿状態になったときに、ユーザがコントローラ３０に対して運転開始操作を行わなかった場合でも、強制運転が自動的に開始されて、室内温度及び室内湿度が低下する。
【００７７】
そして、強制運転モードに切り換えた場合、ユーザは、コントローラ３０で暖房（暖房運転）を選択して運転開始操作を行うことができず、自動（自動運転）を選択して、自動運転の運転開始操作だけを行うことができる。空気調和機１では、ユーザによって自動運転が開始された場合、冷房運転の風量よりも低風量にすると共に、上下フラップ１７を可動範囲の上端近くに配置して吹き出し方向を上方向に変更する。
【００７８】
お知らせモードでは、室内が高温状態や高湿状態である場合に、室内温度及び室内湿度に基づいて、運転開始を促す報知が自動的に行われる。
【００７９】
空気調和機１では、強制運転モードにおいて強制運転を開始するかを判定する場合や、お知らせモードにおいて報知を開始するかを判定する場合に、室内温度及び室内湿度についての判定図が使用される。判定図は、図４に示すように、縦軸は室内湿度（相対湿度）を示し、横軸は室内温度を示している。
【００８０】
以下では、強制運転モードについて説明する。
【００８１】
図４は、強制運転モードにおける判定図の一例であるが、この判定図には、高温ゾーンと、モニタリングゾーンと、待機ゾーンとが設定される。高温ゾーンは、室内が高温状態や高湿状態であって、室内温度や室内湿度を低下させる必要がある領域である。待機ゾーンは、高温ゾーンに遠い領域であり、室内温度や室内湿度を低下させる必要がない領域である。モニタリングゾーンは、高温ゾーンに近い領域であり、室内温度や室内湿度が高温ゾーンに変化しやすい領域である。
【００８２】
図４の判定図において、Ａ点〜Ｆ点は、下記の室内温度及び室内湿度である点を示す。
・Ａ点：室内温度が２７度であり、室内湿度が１００％である点
・Ｂ点：室内温度が２７度であり、室内湿度が７０〜８０％の間のｙ１である点
・Ｃ点：室内温度が３３度であり、室内湿度が３０％である点
・Ｄ点：室内温度が２８度であり、室内湿度が１００％である点
・Ｅ点：室内温度が２８度であり、室内湿度が７０〜８０％の間のｙ２である点
・Ｆ点：室内温度が３４度であり、室内湿度が３０〜４０％の間のｙ３である点
【００８３】
そして、Ａ点とＢ点とＣ点を接続した線ｌ１が、待機ゾーンとモニタリングゾーンの間の線であって、Ｄ点とＥ点とＦ点を接続した線ｌ２が、モニタリングゾーンと高温ゾーンとの間の線である。したがって、図４の判定図に示すように、待機ゾーンは、線ｌ１の左下の領域であって、高温ゾーンは、線ｌ２の右上の領域（室内温度及び室内湿度が線ｌ２上にある場合を含む）であって、モニタリングゾーンは、高温ゾーンと待機ゾーンとに挟まれた領域（室内温度及び室内湿度が線ｌ１上にある場合を含む）である。
【００８４】
よって、空気調和機１の運転停止時において、強制運転モードに切り換えた場合、室内温度及び室内湿度が、高温ゾーン、モニタリングゾーン及び待機ゾーンの各ゾーンにある場合で運転動作が異なる。そこで、強制運転モードに切り換えられた後の各ゾーンでの運転動作について説明する。
【００８５】
室内温度及び室内湿度が高温ゾーンにある場合には、室内温度や室内湿度を低下させる必要があるため、冷房運転（強制運転）が開始される。空気調和機１において強制運転モードでの冷房運転は、設定温度２８℃の冷房運転である。そして、室内温度が設定温度よりも１度以上低下したとき（室内温度が２７度以下になったとき）に、冷房運転がサーモオフ状態となる。ここで、サーモオフ状態は、圧縮機が停止され、室内ファン１６が駆動された状態である。空気調和機１では、冷房運転がサーモオフ状態である場合、冷房運転よりも低風量にすると共に、上下フラップ１７を可動範囲の上端近くに配置して吹き出し方向を上方向に変更する。
【００８６】
そして、室内温度及び室内湿度がモニタリングゾーンにある場合には、室内温度や室内湿度が高温ゾーンに変化しやすいため、室内温度や室内湿度を適正に検出する必要があるので、送風運転を行う。送風運転とは、圧縮機を停止し、室内機の室内ファン１６が駆動される運転である。空気調和機１では、室内温度センサ２１及び室内湿度センサ２２は、室内機２の内部に取り付けられていることから、運転停止時において上下フラップ１７が閉じて室内機の内部に熱がこもった場合に、室内温度及び室内湿度を適正に検出できない場合がある。したがって、室内温度及び室内湿度がモニタリングゾーンにある場合に送風運転を開始することで、室内機２の内部に空気が流れるので、室内温度及び室内湿度を適正に検出できる。ここで、室内温度及び室内湿度がモニタリングゾーンにある場合の送風運転では、冷房運転の風量よりも低風量にすると共に、上下フラップ１７を可動範囲の上端近くに配置して吹き出し方向を上方向に変更する。
【００８７】
そして、室内温度及び室内湿度が待機ゾーンにある場合には、高温ゾーンに遠く、室内温度や室内湿度を低下させる必要がないので、冷房運転や送風運転を行わない。
【００８８】
このように、本実施形態では、強制運転モードにおいて、室内温度及び室内湿度が高温ゾーンにある場合に、冷房運転（強制運転）が開始される。また、冷房運転を開始した後、サーモオフ状態が所定時間継続すると、冷房運転が停止される。
【００８９】
次に、空気調和機１の強制運転モードにおける制御について、図５を参照しつつ説明する。
【００９０】
まず、空気調和機１の運転停止時において、コントローラ３０のモード切換部５０（図３（ｂ）参照）によって、強制運転モードに切り換えられる（ステップＳ１）。ここでは、強制運転モードに切り換えられたときの室内温度及び室内湿度が待機ゾーン（図４参照）にある場合について説明する。
【００９１】
強制運転モードにおいて、室内温度センサ２１で検出された室内温度及び室内湿度センサ２２で検出された室内湿度が、モニタリングゾーンにあるかを判断する（ステップＳ２）。室内温度及び室内湿度が待機ゾーンから高温ゾーンに変化する場合には、待機ゾーンからモニタリングゾーンに変化した後で、高温ゾーンに変化すると考えられる。したがって、ステップＳ２では、室内温度及び室内湿度がモニタリングゾーンにあるかに基づいて、室内温度及び室内湿度が、冷房運転を開始する必要のある高温ゾーンに近付いたかを判断する。
【００９２】
そして、室内温度及び室内湿度がモニタリングゾーンにあると判断した場合には（ステップＳ２：ＹＥＳ）、室内ファン１６を駆動して、送風運転を開始する（ステップＳ３）。室内温度及び室内湿度が高温ゾーンの近くのモニタリングゾーンにある場合、送風運転を開始することで、室内機２の内部に空気が流れるので、室内温度及び室内湿度が適正に検出できる。
【００９３】
一方、室内温度及び室内湿度がモニタリングゾーンにないと判断した場合には（ステップＳ２：ＮＯ）、室内温度及び室内湿度が待機ゾーンにあるので、室内温度及び室内湿度がモニタリングゾーンにあるかの判断を継続する（ステップＳ２）。
【００９４】
そして、ステップＳ３で送風運転を開始した後、室内温度センサ２１で検出された室内温度及び室内湿度センサ２２で検出された室内湿度が、モニタリングゾーンにあるかを判断する（ステップＳ４）。室内温度及び室内湿度がモニタリングゾーンにあると判断した場合には（ステップＳ４：ＹＥＳ）、室内温度及び室内湿度が高温ゾーンの近くのモニタリングゾーンにあるので、室内温度及び室内湿度が適正に検出できるように、送風運転を継続する（ステップＳ３）。
【００９５】
一方、室内温度及び室内湿度がモニタリングゾーンにないと判断した場合には（ステップＳ４：ＮＯ）、送風運転を開始した後で、室内温度及び室内湿度が待機ゾーンまたは高温ゾーンに変化したと考えられる。したがって、室内温度及び室内湿度が待機ゾーンにあるかを判断する（ステップＳ５）。そして、室内温度及び室内湿度が待機ゾーンにあると判断した場合には（ステップＳ４：ＹＥＳ）、室内温度及び室内湿度が高温ゾーンに近いモニタリングゾーンから、待機ゾーンに変化したので、送風運転を停止する（ステップＳ６）。その後、ステップＳ２に移行して、室内温度及び室内湿度がモニタリングゾーンにあるかを判断する。一方、室内温度及び室内湿度が待機ゾーンにないと判断した場合には（ステップＳ５：ＮＯ）、室内温度及び室内湿度が高温ゾーンにあって、室内温度及び室内湿度を低下させる必要があるので、冷房運転を開始する（ステップＳ７）。
【００９６】
冷房運転を開始した後、室内温度センサ２１で検出された室内温度と設定温度に基づいて、冷房運転がサーモオフ状態かを判断する（ステップＳ８）。空気調和機１では、冷房運転が設定温度２８℃であって、室内温度が２７℃以下になったときにサーモオフ状態となる。したがって、ステップＳ８では、室内温度が２７℃以下であるかに基づいて、冷房運転がサーモオフ状態かを判断する。そして、サーモオフ状態でないと判断した場合には（ステップＳ８：ＮＯ）、室内温度が２７℃より高いので、ステップＳ７に移行して、冷房運転を継続する。
【００９７】
一方、冷房運転がサーモオフ状態であると判断した場合には（ステップＳ８：ＹＥＳ）、サーモオフ状態において、室内温度センサ２１で検出された室内温度が設定温度より高い温度まで変化したかを判断する（ステップＳ９）。室内温度が設定温度より高い温度まで変化したと判断した場合には（ステップＳ９：ＹＥＳ）、ステップＳ７に移行して、冷房運転を開始する。室内温度が設定温度より高い温度まで変化してないと判断した場合には（ステップＳ９：ＮＯ）、サーモオフ状態が継続される。
【００９８】
そして、サーモオフ状態が継続された場合、所定時間が経過したかを判断する（ステップＳ１０）。サーモオフ状態で所定時間が経過したと判断した場合には（ステップＳ１０：ＹＥＳ）、冷房運転を停止する（ステップＳ１１）。空気調和機１では、サーモオフ状態で所定時間が経過した後で冷房運転を停止するので、冷房運転を停止したときに、室内温度及び室内湿度が上昇した場合でも、直ぐに冷房運転が開始されるのを防止できる。
【００９９】
一方、サーモオフ状態で所定時間が経過してないと判断した場合には（ステップＳ１０：ＮＯ）、ステップＳ９に移行して、室内温度が設定温度より高い温度まで変化したかを判断する。
【０１００】
＜本実施形態の空気調和機の特徴＞
本実施形態の空気調和機１では、室内が室内温度及び室内湿度を低下させる必要のある状態になった場合に、室内温度及び室内湿度を低下させる冷房運転が自動的に開始される。したがって、室内温度及び室内湿度が高い状態で長時間継続されるのを抑制できるので、ユーザが熱中症等になることを防止できる。
【０１０１】
また、本実施形態の空気調和機１では、室内ファン１６が駆動されて室内機２の内部に空気が流れた状態での室内温度及び室内湿度に基づいて冷房運転を開始するかを判定するので、室内温度センサ２１や室内湿度センサ２２が室内機２の内部にあって運転停止時において室内機２の内部に熱がこもった場合でも、室内温度及び室内湿度を適正に検出できる。
【０１０２】
さらに、本実施形態の空気調和機１では、モニタリングゾーンを、冷房運転が開始される高温ゾーンの近くにすることによって、室内温度及び室内湿度が、冷房運転が開始される範囲に近付いた場合に、室内ファン１６を駆動することができる。したがって、室内温度及び室内湿度を適正に検出して冷房運転を開始するかを判定できる。
【０１０３】
加えて、本実施形態の空気調和機１では、室内ファン１６が駆動された後に、室内温度及び室内湿度が、冷房運転が開始される高温ゾーンの近くのモニタリングゾーンにある場合に、室内ファン１６の駆動を継続できる。したがって、室内温度及び室内湿度を適正に検出して冷房運転を開始するかを判定できる。
【０１０４】
また、本実施形態の空気調和機１では、高温ゾーンを、室内温度及び室内湿度を低下させる必要がある範囲にすることによって、室内温度及び室内湿度が高温ゾーンにある場合に、冷房運転を開始できる。
【０１０５】
さらに、本実施形態の空気調和機１では、室内ファン１６が駆動されるときの風量を冷房運転時よりも小さくすることによって、ユーザの負担を軽減できる。
【０１０６】
加えて、本実施形態の空気調和機１では、室内ファン１６が駆動されるときに、室内機２の上下フラップ１７の向きを変えて吹き出し方向を上方向に変更することにより、室内機２からの風がユーザに直接吹き出されないので、ユーザの負担を軽減できる。
【０１０７】
また、本実施形態の空気調和機１では、強制運転モードでは、コントローラ３０において暖房運転を選択して運転開始操作を行うことができないため、誤って暖房運転が開始されるのを防止できる。
【０１０８】
さらに、本実施形態の空気調和機１では、強制運転モードにおいて、自動運転だけを選択して運転開始操作を行うことができるため、外気温度が低いときに暖房運転が行われる。
【０１０９】
〔第２実施形態〕
次に、図６を参照しつつ、本発明の第２実施形態について説明する。第２実施形態の空気調和機は、第１実施形態の空気調和機と、強制運転モードで冷房運転が開始される時期が異なっている。なお、その他の構成は、上記第１実施形態と同様であるため、同じ符号を用いて適宜その説明を省略する。
【０１１０】
第２実施形態の空気調和機において、強制運転の開始を判定する判定図は、第１実施形態の空気調和機１における判定図（図４）と同一である。
【０１１１】
そして、第１実施形態の空気調和機では、強制運転モードにおいて、室内温度及び室内湿度が高温ゾーンにある場合に冷房運転が開始されるのに対し、第２実施形態の空気調和機では、強制運転モードにおいて、室内温度及び室内湿度が高温ゾーンにある場合に冷房運転が開始されると共に、室内温度及び室内湿度がモニタリングゾーンに所定時間ある場合に冷房運転が開始される。
【０１１２】
また、第２実施形態の空気調和機では、第１実施形態の空気調和機と同様に、強制運転モードにおいて、冷房運転のサーモオフ状態で所定時間が経過した場合に、冷房運転が停止される。
【０１１３】
次に、第２実施形態の空気調和機の強制運転モードにおける制御について説明する。
【０１１４】
まず、空気調和機の運転停止時において、コントローラのモード切換部５０（図３（ｂ）参照）によって、強制運転モードに切り換えられる（ステップＳ２１）。ここでは、強制運転モードに切り換えられたときの室内温度及び室内湿度が待機ゾーンにある場合について説明する。
【０１１５】
強制運転モードにおいて、室内温度センサ２１で検出された室内温度及び室内湿度センサ２２で検出された室内湿度が、モニタリングゾーンにあるかを判断する（ステップＳ２２）。室内温度及び室内湿度が待機ゾーンから高温ゾーンに変化する場合には、待機ゾーンからモニタリングゾーンに変化した後で、高温ゾーンに変化すると考えられる。したがって、ステップＳ２２では、室内温度及び室内湿度がモニタリングゾーンにあるかに基づいて、室内温度及び室内湿度が、冷房運転を開始する必要のある高温ゾーンに近付いたかを判断する。
【０１１６】
そして、室内温度及び室内湿度がモニタリングゾーンにあると判断した場合には（ステップＳ２２：ＹＥＳ）、室内ファン１６を駆動して、送風運転を開始する（ステップＳ２３）。室内温度及び室内湿度が高温ゾーンの近くのモニタリングゾーンにある場合、送風運転を開始することで、室内機２の内部に空気が流れるので、室内温度及び室内湿度が適正に検出できる。
【０１１７】
一方、室内温度及び室内湿度がモニタリングゾーンにないと判断した場合には（ステップＳ２２：ＮＯ）、室内温度及び室内湿度が待機ゾーンにあるので、ステップＳ２２に移行して、室内温度及び室内湿度がモニタリングゾーンにあるかの判断を継続する。
【０１１８】
そして、ステップＳ２３で送風運転を開始した後、室内温度センサ２１で検出された室内温度及び室内湿度センサ２２で検出された室内湿度が、モニタリングゾーンにあるかを判断する（ステップＳ２４）。室内温度及び室内湿度がモニタリングゾーンにないと判断した場合には（ステップＳ２４：ＮＯ）、送風運転を開始した後で、室内温度及び室内湿度が待機ゾーンまたは高温ゾーンに変化したと考えられる。したがって、室内温度及び室内湿度が待機ゾーンにあるかを判断する（ステップＳ２５）。室内温度及び室内湿度が待機ゾーンにあると判断した場合には（ステップＳ２５：ＹＥＳ）、室内温度及び室内湿度が高温ゾーンに近いモニタリングゾーンから待機ゾーンに変化したので、送風運転を停止し（ステップＳ２６）、ステップＳ２２に移行して、室内温度及び室内湿度がモニタリングゾーンにあるかの判断を継続する。一方、ステップＳ２５で、室内温度及び室内湿度が待機ゾーンにないと判断した場合には（ステップＳ２５：ＮＯ）、室内温度及び室内湿度が高温ゾーンにあって、室内温度及び室内湿度を低下させる必要があるので、冷房運転を開始する（ステップＳ２７）。
【０１１９】
一方、ステップＳ２３で送風運転を開始した後、室内温度及び室内湿度がモニタリングゾーンにあると判断した場合には（ステップＳ２４：ＹＥＳ）、室内温度及び室内湿度がモニタリングゾーンになった後で所定時間が経過したかを判断する（ステップＳ２８）。そして、室内温度及び室内湿度がモニタリングゾーンで所定時間が経過したと判断した場合には（ステップＳ２８：ＹＥＳ）、高温ゾーンに近い状態で所定時間が経過したので、室内温度及び室内湿度が高温ゾーンに変化することが考えられるので、冷房運転を開始する（ステップＳ２７）。一方、室内温度及び室内湿度がモニタリングゾーンで所定時間が経過してないと判断した場合には（ステップＳ２８：ＮＯ）、ステップＳ２３へ移行して、送風運転を継続する。
【０１２０】
ステップＳ２７で冷房運転を開始した後、室内温度センサ２１で検出された室内温度と設定温度に基づいて、冷房運転がサーモオフ状態かを判断する（ステップＳ２９）。空気調和機では、冷房運転が設定温度２８℃であって、室内温度が２７℃以下になったときにサーモオフ状態となる。したがって、ステップＳ３１では、室内温度が２７℃以下であるかに基づいて、強制運転がサーモオフ状態かを判断する。そして、サーモオフ状態でないと判断した場合には（ステップＳ２９：ＮＯ）、室内温度が２７℃より高いので、ステップＳ２７に移行して、冷房運転を継続する。
【０１２１】
一方、冷房運転がサーモオフ状態であると判断した場合には（ステップＳ２９：ＹＥＳ）、サーモオフ状態において、室内温度センサ２１で検出された室内温度が設定温度より高い温度まで変化したかを判断する（ステップＳ３０）。室内温度が設定温度より高い温度まで変化したと判断した場合には（ステップＳ３０：ＹＥＳ）、ステップＳ２７に移行して、冷房運転を開始する。室内温度が設定温度より高い温度まで変化してないと判断した場合には（ステップＳ３０：ＮＯ）、サーモオフ状態が継続される。
【０１２２】
そして、サーモオフ状態が継続された場合、所定時間が経過したかを判断する（ステップＳ３１）。サーモオフ状態で所定時間が経過したと判断した場合には（ステップＳ３１：ＹＥＳ）、冷房運転を停止する（ステップＳ３２）。空気調和機では、サーモオフ状態で所定時間が経過した後で冷房運転を停止するので、冷房運転を停止したときに、室内温度及び室内湿度が上昇した場合でも、直ぐに冷房運転が開始されるのを防止できる。
【０１２３】
一方、サーモオフ状態で所定時間が経過してないと判断した場合には（ステップＳ３１：ＮＯ）、ステップＳ３０に移行して、室内温度が設定温度より高い温度まで変化したかを判断する。
【０１２４】
＜本実施形態の空気調和機の特徴＞
本実施形態の空気調和機１では、第１実施形態の空気調和機１と同様に、室内が室内温度及び室内湿度を低下させる必要のある状態になった場合に、室内温度及び室内湿度を低下させる冷房運転が自動的に開始される。したがって、室内温度及び室内湿度が高い状態で長時間継続されるのを抑制できるので、ユーザが熱中症等になることを防止できる。
【０１２５】
また、本実施形態の空気調和機１では、室内ファン１６が駆動された後に、室内温度及び室内湿度がモニタリングゾーンに所定時間ある場合に、冷房運転が自動的に開始される。したがって、室内温度及び室内湿度が、冷房運転が必要となる前に冷房運転を開始して、室内温度及び室内湿度を低下させることができる。
【０１２６】
〔第３実施形態〕
次に、図７を参照しつつ、本発明の第３実施形態について説明する。第３実施形態の空気調和機は、第１実施形態の空気調和機と、強制運転モードにおいて冷房運転が開始される時期が異なっている。なお、その他の構成は、上記第１実施形態と同様であるため、同じ符号を用いて適宜その説明を省略する。
【０１２７】
第３実施形態の空気調和機において、強制運転の開始を判定する判定図は、第１実施形態の空気調和機１における判定図（図４）と同一である。
【０１２８】
そして、第１実施形態の空気調和機では、強制運転モードにおいて、室内温度及び室内湿度が高温ゾーンにある場合に冷房運転が開始されるのに対して、第３実施形態の空気調和機では、強制運転モードにおいて、室内ファン１６が駆動された後の室内温度又は室内湿度が、室内ファン１６が駆動される前の室内温度又は室内湿度よりも上昇した場合に冷房運転が開始される。
【０１２９】
また、第３実施形態の空気調和機では、第１実施形態の空気調和機と同様に、強制運転モードにおいて、冷房運転のサーモオフ状態で所定時間が経過した場合に、冷房運転が停止される。
【０１３０】
次に、空気調和機の強制運転モードにおける制御について説明する。
【０１３１】
まず、空気調和機の運転停止時において、コントローラのモード切換部５０（図３（ｂ）参照）によって、強制運転モードに切り換えられる（ステップＳ４１）。ここでは、強制運転モードに切り換えられたときの室内温度及び室内湿度が待機ゾーンにある場合について説明する。
【０１３２】
強制運転モードにおいて、室内温度センサ２１で検出された室内温度及び室内湿度センサ２２で検出された室内湿度が、モニタリングゾーンにあるかを判断する（ステップＳ４２）。室内温度及び室内湿度が待機ゾーンから高温ゾーンに変化する場合には、待機ゾーンからモニタリングゾーンに変化した後で、高温ゾーンに変化すると考えられる。したがって、ステップＳ４２では、室内温度及び室内湿度がモニタリングゾーンにあるかに基づいて、室内温度及び室内湿度が、冷房運転を開始する必要のある高温ゾーンに近付いたかを判断する。
【０１３３】
そして、室内温度及び室内湿度がモニタリングゾーンにあると判断した場合には（ステップＳ４２：ＹＥＳ）、室内ファン１６を駆動して、送風運転を開始する（ステップＳ４３）。室内温度及び室内湿度が高温ゾーンの近くのモニタリングゾーンにある場合、送風運転を開始することで、室内機２の内部に空気が流れるので、室内温度及び室内湿度が適正に検出できる。
【０１３４】
一方、室内温度及び室内湿度がモニタリングゾーンにないと判断した場合には（ステップＳ４２：ＮＯ）、室内温度及び室内湿度が待機ゾーンにあると考えられるので、ステップＳ２に移行して、室内温度及び室内湿度がモニタリングゾーンにあるかの判断を継続する。
【０１３５】
そして、ステップＳ４３で送風運転を開始した後、室内温度センサ２１で検出された室内温度又は室内湿度センサ２２で検出された室内湿度が、送風運転を開始する前よりも上昇したかを判断する（ステップＳ４４）。室内温度及び室内湿度が送風運転を開始する前よりも上昇したと判断した場合には（ステップＳ４４：ＹＥＳ）、室内温度及び室内湿度が冷房運転を開始する必要のある高温ゾーンに近付いたか又は室内温度及び室内湿度が高温ゾーンに変化したと考えられる。このため、室内温度及び室内湿度を低下させる必要があるので、冷房運転を開始する（ステップＳ４５）。
【０１３６】
一方、室内温度及び室内湿度が送風運転を開始する前よりも上昇してないと判断した場合には（ステップＳ４４：ＮＯ）、ステップＳ４３に移行して、送風運転を継続する。
【０１３７】
ステップＳ４５で冷房運転を開始した後、室内温度センサ２１で検出された室内温度と設定温度に基づいて、冷房運転がサーモオフ状態かを判断する（ステップＳ４６）。空気調和機では、冷房運転が設定温度２８℃であって、室内温度が２７℃以下になったときにサーモオフ状態となる。したがって、ステップＳ４６では、室内温度が２７℃以下であるかに基づいて、冷房運転がサーモオフ状態かを判断する。そして、サーモオフ状態でないと判断した場合には（ステップＳ４６：ＮＯ）、室内温度が２７℃より高いので、ステップＳ４５に移行して、冷房運転を継続する。
【０１３８】
一方、冷房運転がサーモオフ状態であると判断した場合には（ステップＳ４６：ＹＥＳ）、サーモオフ状態において、室内温度センサ２１で検出された室内温度が設定温度より高い温度まで変化したかを判断する（ステップＳ４７）。室内温度が設定温度より高い温度まで変化したと判断した場合には（ステップＳ４７：ＹＥＳ）、ステップＳ４５に移行して、冷房運転を開始する。室内温度が設定温度より高い温度まで変化してないと判断した場合には（ステップＳ４７：ＮＯ）、サーモオフ状態が継続される。
【０１３９】
そして、サーモオフ状態が継続された場合、所定時間が経過したかを判断する（ステップＳ４８）。サーモオフ状態で所定時間が経過したと判断した場合には（ステップＳ４８：ＹＥＳ）、冷房運転を停止する（ステップＳ４９）。空気調和機では、サーモオフ状態で所定時間が経過した後で冷房運転を停止するので、冷房運転を停止したときに、室内温度及び室内湿度が上昇した場合でも、直ぐに冷房運転が開始されるのを防止できる。
【０１４０】
一方、サーモオフ状態で所定時間が経過してないと判断した場合には（ステップＳ４８：ＮＯ）、ステップＳ４７に移行して、室内温度が設定温度より高い温度まで変化したかを判断する。
【０１４１】
＜本実施形態の空気調和機の特徴＞
本実施形態の空気調和機では、第１実施形態の空気調和機１と同様に、室内が室内温度及び室内湿度を低下させる必要のある状態になった場合に、室内温度及び室内湿度を低下させる冷房運転が自動的に開始される。したがって、室内温度及び室内湿度が高い状態で長時間継続されるのを抑制できるので、ユーザが熱中症等になることを防止できる。
【０１４２】
また、本実施形態の空気調和機１では、室内ファン１６が駆動された後の室内温度又は室内湿度が、室内ファン１６が駆動される前の室内温度又は室内湿度よりも上昇した場合に、冷房運転が開始される。したがって、冷房運転が必要となる前に冷房運転を開始して、室内温度及び／又は室内湿度を低下させることができる。
【０１４３】
〔第４実施形態〕
次に、図８，９を参照しつつ、本発明の第４実施形態について説明する。第４実施形態の空気調和機は、第１実施形態の空気調和機と比較して、強制運転モードで送風運転が開始される時期と冷房運転が開始される時期とが異なっている。なお、その他の構成は、上記第１実施形態と同様であるため、同じ符号を用いて適宜その説明を省略する。
【０１４４】
第４実施形態の空気調和機において、冷房運転の開始を判定する判定図には、図８に示す判定図が用いられる。判定図の縦軸は室内湿度（相対湿度）を示し、横軸は室内温度を示している。
【０１４５】
図８に示すように、判定図には、高温ゾーンと、待機ゾーンとが設定されている。図８に示す高温ゾーンは、室内温度や室内湿度を低下させる必要がある領域であり、待機ゾーンは、室内温度や室内湿度を低下させる必要がない領域である。そして、第４実施形態の空気調和機では、モニタリングゾーンが設定されてないので、強制運転モードに切り換えた後で、送風運転を定期的に開始する。そして、送風運転は、所定送風時間が経過したときに停止される。
【０１４６】
図８の判定図に示すように、待機ゾーンは、第１実施形態の図４と同一の線ｌ２の左下の領域であって、高温ゾーンは、線ｌ２の右上の領域（室内温度及び室内湿度が線ｌ２上にある場合を含む）である。
【０１４７】
そして、室内温度及び室内湿度が高温ゾーンにある場合には、室内温度や室内湿度を低下させる必要があるため、設定温度２８℃の冷房運転が開始される。また、強制運転モードの冷房運転は、室内温度が２７度以下なったときにサーモオフ状態となる。
【０１４８】
一方、室内温度及び室内湿度が待機ゾーンにある場合には、室内温度や室内湿度を低下させる必要がない領域であるが、待機ゾーンは、高温ゾーンに遠い領域と、高温ゾーンに近い領域（室内温度や室内湿度が高温ゾーンに変化しやすい領域）とを有しているので、室内温度又は室内湿度が上昇傾向にあるときは、高温ゾーンに近付いているため、冷房運転を開始する。一方、室内温度及び室内湿度が待機ゾーンにある場合であって、室内温度又は室内湿度が上昇傾向にないときは、冷房運転を開始しない。したがって、室内温度及び室内湿度が待機ゾーンにある場合に、送風運転が開始された後、冷房運転が開始されない状態で、所定送風時間が経過したときは、送風運転が停止される。
【０１４９】
このように、第１実施形態の空気調和機では、強制運転モードにおいて、室内温度及び室内湿度が高温ゾーンにある場合に冷房運転が開始されるのに対し、第４実施形態の空気調和機では、強制運転モードにおいて、室内温度及び室内湿度が高温ゾーンにある場合に冷房運転が開始されると共に、送風運転を開始した後、室内温度又は室内湿度（室内温度及び室内湿度の少なくとも一方）が上昇傾向にある場合に冷房運転が開始される。
【０１５０】
また、第４実施形態の空気調和機では、第１実施形態の空気調和機と同様に、強制運転モードにおいて、サーモオフ状態で所定時間が経過した場合に、冷房運転が停止される。
【０１５１】
次に、空気調和機の強制運転モードにおける制御について説明する。
【０１５２】
まず、空気調和機の運転停止時において、コントローラ３０のモード切換部５０（図３（ｂ）参照）によって、強制運転モードに切り換えられる（ステップＳ５１）。ここでは、強制運転モードに切り換えられたときの室内温度及び室内湿度が待機ゾーンにある場合について説明する。
【０１５３】
強制運転モードにおいて、所定時間が経過したかを判断する（ステップＳ５２）。所定時間が経過してないと判断した場合には（ステップＳ５２：ＮＯ）、所定時間が経過するまで判断を継続する。そして、所定時間が経過した場合には（ステップＳ５２：ＹＥＳ）、送風運転を開始する（Ｓ５３）。送風運転を開始した後、室内温度センサ２１で検出された室内温度及び室内湿度センサ２２で検出された室内湿度が、高温ゾーンにあるかを判断する（ステップＳ５４）。室内温度及び室内湿度が高温ゾーンにあると判断した場合には（ステップＳ５４：ＹＥＳ）、冷房運転を開始する（ステップＳ５５）。
【０１５４】
一方、室内温度及び室内湿度が高温ゾーンにないと判断した場合には（ステップＳ５４：ＮＯ）、送風運転を開始した後で所定送風時間が経過したかを判断する（ステップＳ５６）。送風運転を開始した後、所定送風時間が経過したと判断した場合には（ステップＳ５６：ＹＥＳ）、送風運転を停止する（ステップＳ５７）。そして、ステップＳ５２に移行して、ステップＳ５３で送風運転を開始した後、所定送風時間が経過したかを判断する。
【０１５５】
一方、ステップＳ５３で送風運転を開始した後、所定送風時間が経過してないと判断した場合には（ステップＳ５６：ＮＯ）、送風運転を開始した後で、室内温度センサ２１で検出された室内温度又は室内湿度センサ２２で検出された室内湿度が上昇傾向であるかを判断する（ステップＳ５８）。室内温度又は室内湿度が上昇傾向であると判断した場合には（ステップＳ５８：ＹＥＳ）、室内温度又は室内湿度が高温ゾーンに近付いているので、冷房運転を開始する（ステップＳ５５）。一方、室内温度又は室内湿度が上昇傾向でないと判断した場合には（ステップＳ５８：ＮＯ）、ステップＳ５６に移行して、送風運転を開始した後、所定送風時間が経過したかを判断する。
【０１５６】
ステップＳ５５で冷房運転を開始した後、室内温度センサ２１で検出された室内温度と設定温度に基づいて、冷房運転がサーモオフ状態かを判断する（ステップＳ５９）。空気調和機では、冷房運転が設定温度２８℃であって、室内温度が２７℃以下になったときにサーモオフ状態となる。したがって、ステップＳ５９では、室内温度が２７℃以下であるかに基づいて、冷房運転がサーモオフ状態かを判断する。そして、サーモオフ状態でないと判断した場合には（ステップＳ５９：ＮＯ）、室内温度が２７℃より高いので、ステップＳ５５に移行して、冷房運転を継続する。
【０１５７】
一方、冷房運転がサーモオフ状態であると判断した場合には（ステップＳ５９：ＹＥＳ）、サーモオフ状態において、室内温度センサ２１で検出された室内温度が設定温度より高い温度まで変化したかを判断する（ステップＳ６０）。室内温度が設定温度より高い温度まで変化したと判断した場合には（ステップＳ６０：ＹＥＳ）、ステップＳ５５に移行して、冷房運転を行う。室内温度が設定温度より高い温度まで変化してないと判断した場合には（ステップＳ６０：ＮＯ）、サーモオフ状態が継続される。
【０１５８】
そして、サーモオフ状態が継続された場合、所定時間が経過したかを判断する（ステップＳ６１）。サーモオフ状態で所定時間が経過したと判断した場合には（ステップＳ６１：ＹＥＳ）、冷房運転を停止する（ステップＳ６２）。空気調和機では、サーモオフ状態で所定時間が経過した後で冷房運転を停止するので、冷房運転を停止したときに、室内温度及び室内湿度が上昇した場合でも、直ぐに冷房運転が開始されるのを防止できる。
【０１５９】
一方、サーモオフ状態で所定時間が経過してないと判断した場合には（ステップＳ６１：ＮＯ）、ステップＳ６０に移行して、室内温度が設定温度より高い温度まで変化したかを判断する。
【０１６０】
＜本実施形態の空気調和機の特徴＞
本実施形態の空気調和機では、第１実施形態の空気調和機１と同様に、室内が室内温度及び室内湿度を低下させる必要のある状態になった場合に、室内温度及び室内湿度を低下させる冷房運転が自動的に開始される。したがって、室内温度及び室内湿度が高い状態で長時間継続されるのを抑制できるので、ユーザが熱中症等になることを防止できる。
【０１６１】
また、本実施形態の空気調和機１では、強制運転モードにおいて室内ファン１６が定期的に駆動されるので、室内温度及び室内湿度を適正に検出して冷房運転を開始するかを判定できる。
【０１６２】
さらに、本実施形態の空気調和機１では、室内ファン１６が駆動された後に、室内温度及び室内湿度の少なくとも一方が上昇傾向にある場合に、冷房運転が開始される。したがって、冷房運転が必要となる前に冷房運転を開始して、室内温度及び室内湿度を低下させることができる。
【０１６３】
〔第５実施形態〕
次に、図１０，１１を参照しつつ、本発明の第５実施形態について説明する。第５実施形態の空気調和機は、第１実施形態の空気調和機と強制運転が開始される時期が異なっている。なお、その他の構成は、上記第１実施形態と同様であるため、同じ符号を用いて適宜その説明を省略する。
【０１６４】
第５実施形態の空気調和機において、強制運転の開始を判定する判定図は、図１０に示す判定図が用いられる。判定図の縦軸は室内湿度（相対湿度）を示し、横軸は室内温度を示している。
【０１６５】
図１０に示すように、判定図には、高温ゾーンと、高湿ゾーンと、モニタリングゾーンと、待機ゾーンとが設定されている。図１０に示す高温ゾーンは、室内温度や室内湿度を低下させる必要がある領域である。高湿ゾーンは、室内湿度を低下させる必要がある領域である。待機ゾーンは、高温ゾーン及び高湿ゾーンに遠い領域であり、室内温度や室内湿度を低下させる必要がない領域である。モニタリングゾーンは、高温ゾーン及び高湿ゾーンに近い領域であり、室内温度や室内湿度が高温ゾーン及び高湿ゾーンに変化しやすい領域である。
【０１６６】
図１０の判定図において、Ａ１点〜Ｅ１点は、下記の室内温度及び室内湿度である点を示す。
・Ａ１点：室内温度が２５度であり、室内湿度が８０〜９０％の間のｙ４である点
・Ｂ１点：室内温度が３３度であり、室内湿度が３０％である点
・Ｃ１点：室内温度が２５度であり、室内湿度が１００％である点
・Ｄ１点：室内温度が２８度であり、室内湿度が７０〜８０％の間のｙ２である点
・Ｅ１点：室内温度が３４度であり、室内湿度が３０〜４０％の間のｙ３である点
・Ｆ１点：室内温度が２８度であり、室内湿度が１００％である点
【０１６７】
そして、Ａ１点とＢ１点を接続した線ｌ１１が、待機ゾーンとモニタリングゾーンの間の線であって、Ｃ１点とＤ１点を接続した線ｌ１２が、モニタリングゾーンと高湿ゾーンとの間の線であって、Ｄ１点とＥ１点を接続した線ｌ１３が、モニタリングゾーンと高温ゾーンとの間の線であって、Ｄ１点とＦ１点を接続した線ｌ１４が、高湿ゾーンと高温ゾーンとの間の線である。
【０１６８】
したがって、図１０の判定図に示すように、待機ゾーンは、線ｌ１１の左下の領域であって、高温ゾーンは、線ｌ１３の右上で線ｌ１４の右の領域（室内温度及び室内湿度が線ｌ１３上及びｌ１４上にある場合を含む）であって、高湿ゾーンは、線ｌ１２の右上で線ｌ１４の左の領域（室内温度及び室内湿度が線ｌ１２上にある場合を含む）であって、モニタリングゾーンは、高温ゾーン及び高湿ゾーンと待機ゾーンとに挟まれた領域（室内温度及び室内湿度が線ｌ１１上にある場合を含む）である。
【０１６９】
よって、空気調和機の運転停止時において、強制運転モードに切り換えられると、室内温度及び室内湿度が、高温ゾーン、高湿ゾーン、モニタリングゾーン及び待機ゾーンの各ゾーンにある場合で運転動作が異なる。そこで、強制運転モードに切り換えられた後の各ゾーンでの運転動作について説明する。
【０１７０】
本実施形態では、強制運転モードの強制運転は、除湿運転と、設定温度２８℃の冷房運転とのいずれかの運転である。
【０１７１】
室内温度及び室内湿度が高温ゾーンにある場合には、室内温度や室内湿度を低下させる必要があるため、設定温度２８℃の冷房運転が開始される。また、強制運転モードの冷房運転は、室内温度が２７度以下になったときにサーモオフ状態となる。
【０１７２】
室内温度及び室内湿度が高湿ゾーンにある場合には、室内温度が２８℃より低いので室内温度を低下させる必要がないが、室内湿度を低下させる必要があるため、冷房運転を開始せずに、除湿運転が開始される。強制運転モードの除湿運転は、除湿運転を開始した後、室内温度及び室内湿度が高湿ゾーンにある場合は冷房運転に切り換えられ、室内温度及び室内湿度が高湿ゾーンからモニタリングゾーンに変化した場合は停止される。また、室内温度及び室内湿度が高湿ゾーンにある場合の除湿運転では、冷房運転の風量よりも低風量にすると共に、上下フラップ１７を可動範囲の上端近くに配置して吹き出し方向を上方向に変更する。そして、除湿運転の後に冷房運転に切り換わると、除湿運転時の風量が冷房運転時の風量に増加され、冷房運転時において風量を徐々に増加させる。
【０１７３】
そして、室内温度及び室内湿度がモニタリングゾーンにある場合には、室内温度や室内湿度が高温ゾーン及び室内湿度に変化しやすいため、室内温度や室内湿度を適正に検出する必要があるので、送風運転を行う。
【０１７４】
また、室内温度及び室内湿度が待機ゾーンにある場合には、室内温度や室内湿度を低下させる必要がないため、送風運転や冷房運転を行わない。
【０１７５】
このように、第１実施形態の空気調和機では、強制運転モードにおいて、室内温度及び室内湿度が高温ゾーンにある場合に冷房運転が開始されるのに対し、第５実施形態の空気調和機では、強制運転モードにおいて、室内温度及び室内湿度が高温ゾーンにある場合に冷房運転が開始されると共に、室内温度及び室内湿度が高湿ゾーンにある場合に除湿運転が開始される。
【０１７６】
また、第５実施形態の空気調和機では、第１実施形態の空気調和機と同様に、強制運転モードでの冷房運転は、サーモオフ状態で所定時間が経過した場合に停止される。一方、強制運転モードでの除湿運転は、室内温度及び室内湿度が高温ゾーンに変化した場合に冷房運転に切り換わると共に、室内温度及び室内湿度がモニタリングゾーンに変化した場合に停止される。
【０１７７】
次に、空気調和機の強制運転モードにおける制御について、図１１を参照しつつ説明する。
【０１７８】
まず、空気調和機の運転停止時において、コントローラ３０のモード切換部５０（図３（ｂ）参照）によって、強制運転モードに切り換えられる（ステップＳ７１）。ここでは、強制運転モードに切り換えられたときの室内温度及び室内湿度が待機ゾーンにある場合について説明する。
【０１７９】
強制運転モードにおいて、室内温度センサ２１で検出された室内温度及び室内湿度センサ２２で検出された室内湿度が、モニタリングゾーンにあるかを判断する（ステップＳ７２）。室内温度及び室内湿度が待機ゾーンから高温ゾーン又は高湿ゾーンに変化する場合には、待機ゾーンからモニタリングゾーンに変化した後で、高温ゾーン又は高湿ゾーンに変化すると考えられる。したがって、ステップＳ７２では、室内温度及び室内湿度がモニタリングゾーンにあるかに基づいて、室内温度及び室内湿度が、強制運転（冷房運転や除湿運転）を開始する必要のある高温ゾーン及び高湿ゾーンに近付いたかを判断する。
【０１８０】
そして、室内温度及び室内湿度がモニタリングゾーンにあると判断した場合には（ステップＳ７２：ＹＥＳ）、室内ファン１６を駆動して、送風運転を開始する（ステップＳ７３）。室内温度及び室内湿度が高温ゾーン及び高湿ゾーンの近くのモニタリングゾーンにある場合、送風運転を開始することで、室内機２の内部に空気が流れるので、室内温度及び室内湿度を適正に検出できる。
【０１８１】
一方、室内温度及び室内湿度がモニタリングゾーンにないと判断した場合には（ステップＳ７２：ＮＯ）、室内温度及び室内湿度が待機ゾーンにあると考えられるため、室内温度及び室内湿度がモニタリングゾーンにあるかの判断を継続する（ステップＳ７２）。
【０１８２】
そして、ステップＳ７３で送風運転を開始した後、室内温度センサ２１で検出された室内温度及び室内湿度センサ２２で検出された室内湿度が、高湿ゾーンにあるかを判断する（ステップＳ７４）。室内温度及び室内湿度が高湿ゾーンにないと判断した場合には（ステップＳ７４：ＮＯ）、室内温度及び室内湿度がモニタリングゾーンにあるかを判断する（ステップＳ７５）。室内温度及び室内湿度がモニタリングゾーンにないと判断した場合は（ステップＳ７５：ＮＯ）、室内温度及び室内湿度が待機ゾーンにあるかを判断する（ステップＳ７６）。室内温度及び室内湿度が待機ゾーンにないと判断した場合には（ステップＳ７６：ＮＯ）、室内温度及び室内湿度が高温ゾーンにあると考えられるので、冷房運転を開始する（ステップＳ７７）。
【０１８３】
また、ステップＳ７４で室内温度及び室内湿度が高湿ゾーンにあると判断した場合は（ステップＳ７４：ＹＥＳ）、除湿運転を開始する（ステップＳ７８）。
【０１８４】
そして、除湿運転を開始した後、室内温度センサ２１で検出された室内温度及び室内湿度センサ２２で検出された室内湿度が高湿ゾーンにあるかを判断する（ステップＳ７９）。室内温度及び室内湿度が高湿ゾーンにあると判断した場合には（ステップＳ７９：ＹＥＳ）、除湿運転によって湿度が低下してないので、冷房運転を開始する（ステップＳ７７）。一方、室内温度及び室内湿度が高湿ゾーンにないと判断した場合には（ステップＳ７９：ＮＯ）、室内湿度が低下して、室内温度及び室内湿度がモニタリングゾーンや待機ゾーンに変化しているため、除湿運転を停止し（ステップＳ８０）、ステップＳ７３に移行して、送風運転を継続する。
【０１８５】
一方、ステップＳ７５で室内温度及び室内湿度がモニタリングゾーンにあると判断した場合は（ステップＳ７５：ＹＥＳ）、ステップＳ７３へ移行して、送風運転を継続する。
【０１８６】
また、ステップＳ７６で室内温度及び室内湿度が待機ゾーンにあると判断した場合には（ステップＳ７６：ＹＥＳ）、送風運転を停止する（ステップＳ８１）。
【０１８７】
そして、ステップＳ７７で冷房運転を開始した後、室内温度センサ２１で検出された室内温度と設定温度に基づいて、冷房運転がサーモオフ状態かを判断する（ステップＳ８２）。空気調和機では、冷房運転が設定温度２８℃であって、室内温度が２７℃以下になったときにサーモオフ状態となる。したがって、ステップＳ８２では、室内温度が２７℃以下であるかに基づいて、冷房運転がサーモオフ状態かを判断する。そして、サーモオフ状態でないと判断した場合には（ステップＳ８２：ＮＯ）、室内温度が２７℃より高いので、ステップＳ７７に移行して、冷房運転を継続する。
【０１８８】
一方、冷房運転がサーモオフ状態であると判断した場合には（ステップＳ８２：ＹＥＳ）、サーモオフ状態において、室内温度センサ２１で検出された室内温度が設定温度より高い温度まで変化したかを判断する（ステップＳ８３）。室内温度が設定温度より高い温度まで変化したと判断した場合には（ステップＳ８３：ＹＥＳ）、ステップＳ７７に移行して、冷房運転を開始する。室内温度が設定温度より高い温度まで変化してないと判断した場合には（ステップＳ８３：ＮＯ）、サーモオフ状態が継続される。
【０１８９】
そして、サーモオフ状態が継続された場合、所定時間が経過したかを判断する（ステップＳ８４）。サーモオフ状態で所定時間が経過したと判断した場合には（ステップＳ８４：ＹＥＳ）、冷房運転を停止する（ステップＳ８５）。空気調和機では、サーモオフ状態で所定時間が経過した後で冷房運転を停止するので、冷房運転を停止したときに、室内温度及び室内湿度が上昇した場合でも、直ぐに冷房運転が開始されるのを防止できる。
【０１９０】
一方、サーモオフ状態で所定時間が経過してないと判断した場合には（ステップＳ８４：ＮＯ）、ステップＳ８３に移行して、室内温度センサ２１で検出された室内温度が設定温度より高い温度まで変化したかを判断する。
【０１９１】
＜本実施形態の空気調和機の特徴＞
本実施形態の空気調和機１では、第１実施形態の空気調和機１と同様に、室内が室内温度及び室内湿度を低下させる必要のある状態になった場合に、室内温度及び室内湿度を低下させる冷房運転が自動的に開始される。したがって、室内温度及び室内湿度が高い状態で長時間継続されるのを抑制できるので、ユーザが熱中症等になることを防止できる。
【０１９２】
また、本実施形態の空気調和機１では、室内温度及び室内湿度が高湿ゾーンにある場合に、除湿運転が開始されることにより、室内湿度を低下させることができる。
【０１９３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【０１９４】
例えば、上述の第１〜第５実施形態では、強制運転モードにおいて室内温度及び室内湿度に基づいて強制運転が自動的に開始されるが、強制運転モードにおいて室内温度に基づいて強制運転が自動的に開始されてもよい。この場合、強制運転を開始する判定図に、図１２に示す判定図を使用する。図１２の判定図には、高温ゾーンと、モニタリングゾーンと、待機ゾーンとが設定される。高温ゾーンは、室内温度が２８度以上の領域であり、待機ゾーンは、室内温度が２７度未満の領域であり、モニタリングゾーンは室内温度が２７度以上２８度未満の領域である。室内温度が高温ゾーンにある場合には、冷房運転（強制運転）が開始される。室内温度がモニタリングゾーンにある場合には、送風運転を行う。室内温度が待機ゾーンにある場合には、冷房運転や送風運転を行わない。そして、空気調和機の強制運転モードにおける制御は、第１〜第５実施形態において室内温度及び室内湿度に基づいて行われるが、室内温度に基づいて行われる点で異なるが、その他は、第１〜第５実施形態の図５〜７、図９，１１で示した制御と同様の方法で行われる。
【０１９５】
また、上述の第１〜第５実施形態では、強制運転モードにおいて室内温度及び室内湿度に基づいて強制運転が自動的に開始されるが、強制運転モードにおいて室内湿度に基づいて強制運転が自動的に開始される参考例がある。そして、空気調和機の強制運転モードにおける制御は、第１〜第５実施形態において室内温度及び室内湿度に基づいて行われるのが、室内湿度に基づいて行われる点で異なるが、その他は、第１〜第５実施形態の図５〜７、図９，１１で示した制御と同様の方法で行われる。
【０１９６】
また、上述の第１〜第５実施形態では、強制運転モードにおいて、強制運転が開始される前に、強制運転を開始することを報知してもよい。
【０１９７】
また、上述の第１〜第５実施形態では、空気調和機が外気温度を検出する外気温度検出手段を有しており、強制運転モードにおいて、外気温度検出手段によって検出された外気温度が所定の外気温度以下の場合に、強制運転を開始しないようにしてもよい。
【０１９８】
また、上述の第１〜第５実施形態では、強制運転モードにおいて、室内機に取り付けられた室内温度センサ及び室内湿度センサで検出された室内温度及び室内湿度に基づいて強制運転が開始されるが、コントローラに取り付けられた室内温度センサ及び室内湿度センサで検出された室内温度及び室内湿度に基づいて強制運転が開始されてもよい。
【０１９９】
また、上述の第１〜第５実施形態では、強制運転モードにおいて、室内温度及び室内湿度がモニタリングゾーンにある場合の送風運転、室内温度及び室内湿度が高湿ゾーンにある場合の除湿運転、ユーザがコントローラで自動運転を選択して運転開始操作を行った場合の自動運転では、冷房運転の風量よりも低風量にすると共に、上下フラップを可動範囲の上端近くに配置して吹き出し方向を上方向に変更するが、風量や吹き出し方向は変更可能である。
【０２００】
また、上述の第１〜第５実施形態では、強制運転モードにおいて、ユーザは、コントローラ３０で自動（自動運転）を選択して、自動運転の運転開始操作だけを行うことができるが、送風（送風運転）や除湿（除湿運転）等の運転開始操作を行うことができるようにしてもよい。
【産業上の利用可能性】
【０２０１】
本発明を利用すれば、室内温度や室内湿度が高い状態であるときに、運転停止時において、室内温度及び室内湿度の少なくとも一方を低下させる強制運転を自動的に開始できる。
【符号の説明】
【０２０２】
１  空気調和機
２  室内機
３  室外機
１６  室内ファン
１７  上下フラップ
２１  室内温度センサ
２２  室内湿度センサ